(57)【要約】【課題】２個のピストンを備えたα形スターリングエンジンにおいて、エンジンの出力に応じて両ピストンの位相差を自動的に調整し、エンジンを最適な作動状態とする。【解決手段】α形スターリングエンジンの高温側ピストン２Ａ及び低温側ピストン２Ｂを別個のクランクシャフト７Ａと７Ｂに連結し、これらのクランクシャフトを位相差可変装置８を介して接続する。位相差可変装置８には、互いに密着する対向面を有する接合部材８０Ａ、８０Ｂが設けてあり、一方の接合部材の対向面に円周方向の溝を形成するとともに、他方の対向面にその溝に嵌まり込む摺動部材を形成して、円周方向の溝内にスターリングエンジンの作動室内の圧力を作動流体導入管８５から導入する。作動室内の圧力は、エンジンの加熱量によって変化するので、両方の接合部材の相対的回転位置がエンジンの出力に応じて変わり、両ピストンの位相差を最適な状態に自動的に調整できる。【選択図】図１
2010127222.tif 000002
【特許請求の範囲】
【請求項１】
２個のシリンダとそれぞれのシリンダ内を往復動する２個のピストンとが配置され、前記２個のピストンの上方空間が互いに連通されて作動室を構成し、前記作動室に封入された作動流体の状態変化により熱エネルギを機械的な動力に変換するスターリングエンジンであって、
前記２個のピストンが、位相差可変装置を介して接続された２個のクランクシャフトにそれぞれ連結されており、さらに、
前記位相差可変装置は、前記２個のクランクシャフトにそれぞれ固着され、かつ、互いに密着する対向面を有する２個の接合部材を備え、前記接合部材の一方の対向面には両端部を有する円周方向の溝が形成されるとともに、前記接合部材の他方の対向面には、前記円周方向の溝に嵌まり込む摺動部材が設けられており、
前記円周方向の溝の一端部と前記摺動部材との間に前記作動室に封入された作動流体が導入され、前記２個の接合部材の相対的な回転位置が、前記作動室に封入された作動流体の圧力に応じて変更されることを特徴とするスターリングエンジン。
【請求項２】
前記２個の接合部材の相対的な回転位置は、前記作動室に封入された作動流体が最低圧力のときには、前記２個のピストンの位相差が１８０°となり、前記作動室に封入された作動流体が最高圧力のときには、前記２個のピストンの位相差が９０°となるように設定された請求項１に記載のスターリングエンジン。
【発明の詳細な説明】
【技術分野】
【０００１】
本発明は、気体状態で封入された作動流体の加熱、冷却による状態変化を利用して、熱源の有する熱エネルギを機械的な回転エネルギに変換する熱機関、いわゆるスターリングエンジンに関するものである。
【背景技術】
【０００２】
スターリングエンジンは、作動室内に封入された作動流体を周期的に加熱及び冷却することにより生じる状態変化を利用して、高熱源から機械的な動力を取り出すようにした、理論的な熱効率が高い外燃機関である。ガソリンエンジンやディーゼルエンジンのような内燃機関では、作動流体である空気の中で燃料を間欠的に燃焼させて機械的な動力を発生させる。これに対し、外燃機関であるスターリングエンジンは、連続燃焼によって生じた熱を作動流体に熱伝達させるものであるから、燃料の燃焼状態の制御が容易で、ＮＯｘ、ＣＯ等、燃焼による排気有害成分の生成量が少ないという利点がある。また、燃焼による熱に限らず、内燃機関の排熱など各種の熱源を用いることが可能であり、省エネルギ、環境対策の面でも優れた特性を有するエンジンである。
【０００３】
スターリングエンジンには様々な形式があり、一般的には、作動流体を加熱空間と冷却空間との間を周期的に移動させるディスプレーサを配置するものが多いけれども、スターリングエンジンの中には、２個のピストン・シリンダ機構を配置し、２個のピストン上部の空間を連結して作動室とする形式のエンジン（以下「α形スターリングエンジン」という。）がある。α形スターリングエンジンは、２個のシリンダ内を往復する２個のピストンと、これらを連結するクランクシャフトとにより構成されており、ディスプレーサやロンビック機構と呼ばれる連結機構を要しないため、その構造が簡潔なものとなる。
【０００４】
図４には、α形スターリングエンジンの基本的な構成を示す。この例のα形スターリングエンジンでは、同一構造の２個のシリンダ１００Ａ、１００Ｂ内に同一構造のピストン１０１Ａ、１０１Ｂがそれぞれ往復動する２個のピストン・シリンダ機構が設けられている。２個のシリンダにおけるピストン上部の空間は、連通管１０２によって互いに連結されてスターリングエンジンの作動室を構成し、その中には、水素、ヘリウム等の比熱の小さい気体からなる作動流体が封入される。連通管１０２には、作動流体に外部から熱を与える加熱器１０３、作動流体を冷却する冷却器１０４及び作動流体の熱を蓄熱する再生器１０５が配置されており、加熱器１０３が置かれた側のピストン１０１Ａが高温側ピストン、冷却器１０４が置かれた側のピストン１０１Ｂが低温側ピストンとなる。
【０００５】
両方のピストン１０１Ａ、１０１Ｂは、それぞれコンロッドによりクランクシャフト１０６に連結されている。この例のスターリングエンジンでは、クランクシャフト１０６にはフライホイール１０７を介してモーター／ジェネレーター１０８が連結され、スターリングエンジンの出力が電気エネルギとして取り出されるとともに、スターリングエンジンの始動時には、モーター／ジェネレーター１０８に電池等による電力を供給してモーターとして作動させ、クランクシャフト１０６を駆動できるように構成されている。
【０００６】
図５は、図４のスターリングエンジンの作動を、スターリングエンジンのＰＶ線図を参照しながら概略的に示すものである。加熱行程では、低温側ピストン１０１Ｂが上昇するとともに高温側ピストン１０１Ａが下降しており、作動流体は、低温側ピストン１０１Ｂの上方の低温空間から高温側ピストン１０１Ａの上方の高温空間へと移動し、作動流体には加熱器１０３により熱が与えられる。この行程では作動室の容積は実質的に変化せず、作動流体は、ＰＶ線図の等容加熱に相当する状態変化を行う。膨張行程では、両方のピストンが同時に下降して作動室の容積が増大し、作動流体は、実質的に温度が一定の状態で膨張する等温膨張を行って外部に仕事を与える。冷却行程では、低温側ピストン１０１Ｂが下降するとともに高温側ピストン１０１Ａが上昇して、作動流体が高温空間から低温空間へと移動し、その際に冷却器１０４で冷却されて等容冷却が行われる。そして、圧縮行程では、両方のピストンが同時に上昇して作動流体が等温圧縮され、以降、これらの行程を繰り返す。
【０００７】
ところで、α形スターリングエンジンは、２個のピストンの上部空間を連通した作動室の容積変化によって作動流体の状態変化を生じさせるものであり、エンジンの理論的な出力（図示仕事量）は、図６に示すとおり、両方のピストンの位相差に応じて変化し、位相差が９０°であるとき（低温側ピストンが高温側ピストンよりも９０°遅れて運動）に出力が最大となる。そのため、図４のスターリングエンジンにおいては、高温側ピストン１０１Ａと低温側ピストン１０１Ｂとが連結されるクランクシャフト１０６のクランクピンは、その位相差が９０°となるように設定されている。
また、出力が位相差により変化することを利用して、α形スターリングエンジンの出力を制御する方法が知られており、例えば特開平７−２３３７５８号公報には、低温側ピストンと高温側ピストンとを遊星傘歯車を用いた位相差可変機構によって連結し、両方のピストンの位相差を変更するスターリングエンジンの出力制御法が開示されている。本出願人も、車両に搭載されたスターリングエンジンにおいて、遊星傘歯車を用いた位相差可変機構によりスターリングエンジンの出力を制御するとともに、車両減速時にはスターリングエンジンをヒートポンプとして作動させ、エンジンブレーキの効果を高めながら燃費の向上を図る方法を、特開２００７−２７０７１８号公報に開示している。
【特許文献１】特開平７−２３３７５８号公報
【特許文献２】特開２００７−２７０７１８号公報
【発明の開示】
【発明が解決しようとする課題】
【０００８】
α形スターリングエンジンの出力は、高温側ピストンと低温側ピストンとの位相差に応じて変化するので、位相差が固定されたエンジンでは、負荷の変動に対応した最適な作動状態を実現できない。例えば、図４のような位相差が９０°に設定されているスターリングエンジンでは、最大出力時には好適な作動を行うものの、出力が減少する低負荷時においては、加熱器から与えられる熱量が少なく作動流体の圧力上昇が小さいため、作動室の容積変化が過大となって効率が低下する。さらに、エンジンの始動時には、スターリングサイクルの自立運転を行うようになるまで、モーター／ジェネレーターに電力を供給して両方のピストンを駆動するが、作動室の容積変化が大きいときは、それに伴ういわばポンピングロスも大きくなってクランキングトルクが増大し、エンジンの始動のために大きな電力を必要とする。
【０００９】
α形スターリングエンジンにおけるこうした問題に対処するため、特許文献１又は特許文献２に開示される位相差可変機構を採用し、エンジンの出力に応じて両方のピストンの位相差を制御することが考えられる。しかし、遊星傘歯車等を利用する位相差可変機構は複雑かつ高価なものであり、位相差可変機構を操作する制御装置も大掛かりなものであるため、これらを設置したスターリングエンジンでは、エンジン全体の構成の複雑化あるいは製造コストの上昇を免れない。
本発明は、α形スターリングエンジンにおいて、両方のピストンの位相差を自動的に変更する簡易な位相差可変装置を設置し、上記の問題点を解決することを課題とする。
【課題を解決するための手段】
【００１０】
上記の課題に鑑み、本発明は、２個のピストンとそれぞれ連結された２個のクランクシャフトにそれぞれ接合部材を固着し、接合部材の対向面を互いに密着させて、一方の対抗面に円周方向の溝を形成するとともに、他方の対向面にはその溝に嵌まり込む摺動部材を形成し、円周方向の溝の一端部と摺動部材との間に作動流体を導入して、２個の接合部材の相対的な回転位置を、作動流体の圧力に応じて自動的に変更するものである。すなわち、本発明は、
「２個のシリンダとそれぞれのシリンダ内を往復動する２個のピストンとが配置され、前記２個のピストンの上方空間が互いに連通されて作動室を構成し、前記作動室に封入された作動流体の状態変化により熱エネルギを機械的な動力に変換するスターリングエンジンであって、
前記２個のピストンが、位相差可変装置を介して接続された２個のクランクシャフトにそれぞれ連結されており、さらに、
前記位相差可変装置は、前記２個のクランクシャフトにそれぞれ固着され、かつ、互いに密着する対向面を有する２個の接合部材を備え、前記接合部材の一方の対向面には両端部を有する円周方向の溝が形成されるとともに、前記接合部材の他方の対向面には、前記円周方向の溝に嵌まり込む摺動部材が設けられており、
前記円周方向の溝の一端部と前記摺動部材との間に前記作動室に封入された作動流体が導入され、前記２個の接合部材の相対的な回転位置が、前記作動室に封入された作動流体の圧力に応じて変更される」
ことを特徴とするスターリングエンジンとなっている。
【００１１】
請求項２に記載のように、前記２個の接合部材の相対的な回転位置は、前記作動室に封入された作動流体が最低圧力のときには、前記２個のピストンの位相差が１８０°となり、前記作動室に封入された作動流体が最高圧力のときには、前記２個のピストンの位相差が９０°となるように設定されていることが好ましい。
【発明の効果】
【００１２】
本発明のスターリングエンジンにおいては、２個のピストンが独立した２個のクランクシャフトにそれぞれ連結され、２個のクランクシャフトの端部には、位相差可変装置を構成する接合部材がそれぞれ固着されている。両方の接合部材は、互いに密着する対向面を有していて、一方の接合部材の対向面には円周方向の溝が形成されるとともに、他方の接合部材の対向面には、その円周方向の溝に嵌まり込む摺動部材が設けられ、円周方向の溝と摺動部材によって、いわば回転方向変位型アクチュエータが構成される。そして、円周方向の溝の一端部と摺動部材との間には、スターリングエンジンの作動室に封入された作動流体が導入される。
スターリングエンジンは、作動室内に封入された作動流体の周期的な状態変化を利用して機械的な動力を取り出すものであり、作動流体の平均圧力は、スターリングエンジンの出力の増大に伴って増加する（後述の図３のＰＶ線図参照）。本発明では、位相差可変装置を構成する２個の接合部材の一方に形成された溝内に作動流体が導入され、その作動流体の圧力に応じて、他方の接合部材の摺動部材が押圧される。これにより、両方の接合部材の相対的な位相角が変化し、それぞれの接合部材に連結されたピストンの位相差が、作動流体の平均圧力、つまり、スターリングエンジンの出力に対応して変更される。
【００１３】
本発明の位相差可変装置は、接合部材の溝内に導入された作動流体によって２個のピストンの位相差を変更するもので、位相差は、スターリングエンジンの出力に応じて自動的に変更される。したがって、本発明では位相差を制御する外部制御装置を設置する必要はなく、位相差可変装置が簡素なものとすることができる。
【００１４】
請求項２の発明は、２個の接合部材の相対的な回転位置が、作動室に封入された作動流体の平均圧力が最低圧力のときには、２個のピストンの位相差が１８０°となり、作動室に封入された作動流体の平均圧力が最高圧力のときには、２個のピストンの位相差が９０°となるように設定されたものである。
スターリングエンジンの始動時においては、自立運転を行うようになるまで始動用モーターにより駆動され、作動流体は、実質的に加熱されず平均圧力が最低の状態にある。このときは２個のピストンの位相差が１８０°であって、クランクシャフトが回転しても２個のピストンの上方空間が互いに連通された作動室の容積は、クランクシャフトが回転しても変化しない。そのため、作動室の容積変化に伴うポンピングロスが生じることがないので、始動用モーターのクランキングトルクを大幅に減少させることができる。加熱器から作動流体に与えられる熱量が増加するにつれ、作動流体の平均圧力が増大して２個のピストンの位相差が小さくなり、作動室の容積変化が増大する。熱量が最大となり作動流体の平均圧力が最大値となったときは、位相差が９０°に達し作動室の容積変化も最大となる。つまり、加熱器から作動流体に与えられる熱量の増大に応じて、スターリングエンジンが自動的に最適の作動状態としながらその出力を増加させることが可能となり、膨張不足あるいは過膨張に起因する損失は発生しない。
【発明を実施するための最良の形態】
【００１５】
以下、図面に基づき本発明のスターリングエンジンについて説明する。図１は、本発明のスターリングエンジンの一実施例について、全体的な構造を示す概略図である。図２には、本発明のスターリングエンジンにおける位相差可変装置を示す。
【００１６】
図１のスターリングエンジンは、α形スターリングエンジンとして構成され、基本的には図４のエンジンと同様な構造を備えている。すなわち、同一構造の２個のシリンダ１Ａ、１Ｂ内に同一構造のピストン２Ａ、２Ｂがそれぞれ往復動する２個のピストン・シリンダ機構が設けられる。ピストン上部の空間は、連通管３により互いに連結されて作動室を構成し、その中には、気体状態の作動流体が封入される。連通管３には、作動流体に外部から熱を与える加熱器４、作動流体を冷却する冷却器５及び作動流体の熱を蓄熱する再生器６が配置されており、加熱器４が置かれた側のピストン２Ａが高温側ピストン、冷却器５が置かれた側のピストン２Ｂが低温側ピストンとなる。
【００１７】
本発明のスターリングエンジンでは、高温側ピストン２Ａ及び低温側ピストン２Ｂが、独立した２個のクランクシャフト７Ａ、７Ｂにコンロッドを介してそれぞれ連結されている。クランクシャフト７Ａ、７Ｂの接続部には位相差可変装置８が設置してあり、後述するように、この位相差可変装置８によってクランクシャフト７Ａ、７Ｂの間の位相差、つまり、高温側ピストン２Ａと低温側ピストン２Ｂとの位相差が変更される。位相差可変装置８と反対側のクランクシャフト７Ａには、フライホイール９を介してモーター／ジェネレーター１０が連結される。
【００１８】
本発明の位相差可変装置８は、図２（ａ）に示すとおり、クランクシャフト７Ａ、７Ｂにそれぞれ固着され、かつ、互いに密着する対向面を有する２個の接合部材８０Ａ、８０Ｂを備えている。２個の接合部材８０Ａ、８０Ｂは、同一径の円板状部材であって同軸に配置され、相対的に回転できるよう両者の間にはベアリングが配置してある。そして、図２（ｂ）に示すとおり、一方の接合部材８０Ｂの対向面には、両端部を有する円周方向の溝８１が対称的な位置に２本形成されるとともに、他方の接合部材８０Ａの対向面には、円周方向の溝８１にそれぞれ密着して嵌まり込むように、２個の突起状の摺動部材８２が設けられている。円周方向の溝８１と摺動部材８２とは、いわば回転方向変位型アクチュエータとして構成されたものであり、摺動部材８２は、溝８１内を摺動するピストンとして機能する。
【００１９】
円周方向の溝８１の一端と摺動部材８２との間には、スターリングエンジンの作動室内の作動流体が導入される。そのために、溝８１の一端には接合部材８０Ｂの外周面に開口する連通路８３が設けられ、かつ、接合部材８０Ｂの外周面と密着するケーシングには、その外周面を全周に亘って取り巻く外周溝８４が形成されている。外周溝８４と作動室内とは径の小さい作動流体導入管８５により連結されており（図１も参照）、作動室内の作動流体は、作動流体導入管８５、外周溝８４及び連通路８３を経由して円周方向の溝８１に供給される。作動室内の作動流体の圧力は、スターリングエンジンのエンジンサイクルに伴って周期的に変動するが、作動流体導入管８５の径は小さく流体抵抗が大きいので、円周方向の溝８１に導入された作動流体の圧力は、変動分が減衰されて実質的にスターリングサイクルの平均圧力となる。必要に応じて、変動分を減衰させるためのオリフィスＴを作動流体導入管８５に介在させることもできる。また、円周方向の溝８１の他端と摺動部材８２との間には、円周方向に延びるコイルばね８６が設置されている。
【００２０】
次いで、本発明のスターリングエンジンの作動について、図３等を参照しながら説明する。図３（ａ）には、スターリングエンジンの始動時、低熱量時（部分負荷時）及び高熱量時（全負荷時）における、位相差可変装置８とクランクシャフト７Ａ、７Ｂの状態を示し、図３（ｂ）には、そのときのスターリングエンジンサイクルのＰＶ線図を示す。
【００２１】
スターリングエンジンの始動時には、モーター／ジェネレーター１０に電力を供給してモーターとして作動させ、クランクシャフトを回転駆動する（クランキング）。始動時には加熱器４からの熱が実質上作動流体に伝達されていないので、溝８１内に供給される作動流体の圧力は最低圧力となり、図３（ａ）の始動時の状態に示されるとおり、摺動部材８２は、円周方向に延びるコイルばね８６に押圧されて溝８１の一端に当接する。この位置では、接合部材８０Ａ、８０Ｂに固着されたクランクシャフト７Ａ、７Ｂが、図のようにクランクピンが対向して位相差が１８０°となるように設定されている。各クランクピンに連結された高温側ピストン２Ａと低温側ピストン２Ｂは、同一速度で互いに反対方向に移動し、作動室の容積は変化しない。そのため、モーター／ジェネレーター１０には作動室を容積変化させるためのポンピングロスが発生せず、始動時のクランキングトルクを大幅に減少させることができる。このように、始動時には容積及び圧力の変化がなく、図３（ｂ）のＰＶ線図上では状態変化がＩの一点に止まることとなる。
【００２２】
スターリングエンジンの負荷の増大に応じて加熱器４から伝達される熱量が大きくなると、その熱量に対応して作動流体の圧力が上昇する。このときには、図３（ａ）の低熱量の状態に示されるとおり、位相差可変装置８の溝８１内に供給される作動流体が摺動部材８２をコイルばね８６に抗して押圧する。クランクシャフト７Ａ、７Ｂは図示の状態となり、高温側ピストン２Ａと低温側ピストン２Ｂとの位相差が１８０°よりも減少して、クランクシャフトの回転により作動室の容積変化が生じるようになる。作動室の容積の変化量は、両ピストンの位相差が減少するにつれ次第に大きくなる。
図３（ｂ）のＰＶ線図では、作動流体が定容加熱されるとその圧力が上昇し、同時に両ピストンの位相差の減少により体積変化が生じて、ある一定の加熱のときにはＳ１のような状態変化を行うサイクルとなり、それよりも加熱熱量が増加するとＳ２のようなサイクルとなる。サイクルＳ２の平均圧力Ｐ２はサイクルＳ１の平均圧力Ｐ１よりも増大し、位相差可変装置８によってサイクルＳ２の最大容積Ｖ２はサイクルＳ１の最大容積Ｖ１よりも大きくなる。つまり、本発明の位相差可変装置８により、高温側ピストン２Ａと低温側ピストン２Ｂとの位相差は、スターリングエンジンの出力に対応した最適な位相差に自動的に調整される。スターリングエンジンの出力は、モーター／ジェネレーター１０を発電機として作動させることにより、電気エネルギの形で外部に取り出される。
【００２３】
スターリングエンジンが全負荷となり加熱量が最大となると、作動流体の平均圧力が最大値に達する。このときには、図３（ａ）の高熱量の状態に示されるとおり、溝８１内に供給される作動流体が、ストッパ（図示省略）に当接する位置まで摺動部材８２を押圧する。クランクシャフト７Ａ、７Ｂの位相差が９０°となり、高温側ピストン２Ａが低温側ピストン２Ｂよりも９０°先行して往復動する。スターリングエンジンの作動室の容積変化量は最大となり、図３（ｂ）のＰＶ線図では、Ｓ３のサイクルの状態変化が行われて最大容積Ｖ３まで膨張し、スターリングエンジンの出力が最大となる。ちなみに、図１には、この状態のクランクシャフト及び両ピストンの位置を示している。
【００２４】
以上詳述したように、本発明は、２個のシリンダ内を往復する２個のピストンを備えたα形スターリングエンジンにおいて、それぞれのピストンと連結されたクランクシャフトに対向面を互いに密着させた接合部材を固着し、一方の対抗面に円周方向の溝を形成するとともに、他方の対向面にはその溝に嵌まり込む摺動部材を形成し、円周方向の溝の一端部と摺動部材との間に作動流体を導入して、２個の接合部材の相対的な回転位置を作動流体の圧力に応じて自動的に変更するものである。上記の実施例では、２個のシリンダを連結する連結管内に加熱器、冷却器等をまとめて設置しているが、２個のシリンダに加熱器、冷却器を別々に設けてもよい。また、モーター／ジェネレーターを用いて出力を電気エネルギとして取り出す代わりに、機械的な負荷を直接駆動するように構成するなど、上記実施例に対し種々の変形が可能であることは明らかである。
【図面の簡単な説明】
【００２５】
【図１】本発明のスターリングエンジンの実施例を示す概略図である。
【図２】図１のスターリングエンジンの位相差可変装置を示す図である。
【図３】図１のスターリングエンジンの作動図である。
【図４】従来のα形スターリングエンジンの概略図である。
【図５】従来のα形スターリングエンジンの作動サイクルを示す図である。
【図６】α形スターリングエンジンの位相差と出力の関係を表すグラフである。
【符号の説明】
【００２６】
１Ａ、１Ｂ  シリンダ
２Ａ、２Ｂ  ピストン
４  加熱器
５  冷却器
７Ａ、７Ｂ  クランクシャフト
８  位相差可変装置
８０Ａ、８０Ｂ  接合部材
８１  溝
８２  摺動部材
８５  作動流体導入管
１０  モーター／ジェネレーター
【図１】
2010127222.tif 000003
【図２】
2010127222.tif 000004
【図３】
2010127222.tif 000005
【図４】
2010127222.tif 000006
【図５】
2010127222.tif 000007
【図６】
2010127222.tif 000008